(57)【要約】【課題】パチンコ機の画像表示装置等で報知する特定情報の信頼性を向上させる。【解決手段】パチンコ機１１の裏面側に操作スイッチ３２の操作部を配置すると共に、パチンコ島側にリニアソレノイド３６を配置し、操作スイッチ３２の操作部とリニアソレノイド３６とを機械的に連結する。パチンコホールに設置された火災警報器３９は、火災による熱や煙等をセンサで検知したときに、警報信号をホールコンピュータ４０へ出力する。ホールコンピュータ４０は、警報信号が入力されると、リニアソレノイド３６を駆動してパチンコ機１１の操作スイッチ３２の操作部をオン操作する。これにより、操作スイッチ３２は、オン状態となって報知指令信号を演出制御基板４１へ出力する。演出制御基板４１は、報知指令信号が入力されると、画像表示装置２１と発光装置２２とスピーカ２３を緊急避難警報情報を報知する状態にして、遊技者に緊急避難警報情報を報知する。【選択図】図４
2011156256.tif 000002
【特許請求の範囲】
【請求項１】
遊技機の裏面側に操作部が配置された操作スイッチと、
前記操作スイッチの操作部がオン操作されたときに遊技内容とは無関係な特定情報を報知する状態になる報知手段と
を備えていることを特徴とする遊技機の報知装置。
【請求項２】
前記操作スイッチの操作部は、遊技機が設置される島側の駆動手段と機械的に連結可能であることを特徴とする請求項１に記載の遊技機の報知装置。
【請求項３】
前記報知手段は、前記特定情報として緊急避難警報情報を報知することを特徴とする請求項２に記載の遊技機の報知装置。
【発明の詳細な説明】
【技術分野】
【０００１】
本発明は、遊技内容とは無関係な特定情報を報知する機能を備えた遊技機の報知装置に関する発明である。
【背景技術】
【０００２】
従来、パチンコホールでは、遊技者が食事等のためにパチンコ機から一時的に離れるような場合には、店員が例えば「食事中」等と表記された表示板をパチンコ機の前面側に載置することがあるが、パチンコ機の前面側に表示板を載置する作業や、その表示板を片付ける作業が非常に煩わしいという問題があった。
【０００３】
そこで、特許文献１（特開平９−９９１６３号公報）に記載されているように、パチンコ機の上部に設置した制御ボックスの前面に、ＬＥＤ等で構成した表示部を備えた表示フラグと、押しボタン式の制御スイッチを配置し、制御スイッチを押したときに表示フラグに「食事中」等のメッセージを表示するようにしたものがある。
【先行技術文献】
【特許文献】
【０００４】
【特許文献１】特開平９−９９１６３号公報（第３頁〜第４頁、図２等）
【発明の概要】
【発明が解決しようとする課題】
【０００５】
しかし、上記特許文献１の技術では、パチンコ機の上部に設置した制御ボックスの前面に、制御スイッチを配置するようにしているため、遊技者等が制御スイッチを自由に操作することができる。このため、遊技者等がいたずらで制御スイッチを操作して表示フラグに間違った情報を表示する可能性があり、表示フラグで表示する情報の信頼性を確保できないという欠点がある。
【０００６】
そこで、本発明が解決しようとする課題は、報知手段で報知する情報の信頼性を確保することができる遊技機の報知装置を提供することにある。
【課題を解決するための手段】
【０００７】
上記課題を解決するために、請求項１に係る発明は、遊技機の裏面側に操作部が配置された操作スイッチと、この操作スイッチの操作部がオン操作されたときに遊技内容とは無関係な特定情報を報知する状態になる報知手段とを備えた構成としたものである。
【０００８】
この構成では、操作スイッチの操作部をオン操作して報知手段（例えば、画像表示装置、発光装置、スピーカ等）を特定報知状態（特定情報を報知する状態）にすることで、遊技者に特定情報を報知することができる。この場合、遊技機の裏面側に操作スイッチの操作部が配置されているため、遊技機の通常の設置状態（遊技機の本体枠やガラス扉を閉鎖して施錠した状態）では、遊技者等が操作スイッチの操作部を自由に操作することができない。これにより、遊技者等がいたずらで操作スイッチの操作部をオン操作することを防止して、報知手段で間違った情報を報知することを防止することができ、報知手段で報知する情報の信頼性を確保することができる。また、遊技機に操作スイッチと報知手段を設けることで、出荷前の遊技機の検査で報知機能の動作確認を容易に行うことができる。
【０００９】
本発明は、ホールの店員等が、遊技機の本体枠を前方に開放した状態で、操作スイッチの操作部をオン操作して報知手段を特定報知状態にするようにしても良いが、請求項２のように、操作スイッチの操作部を、遊技機が設置される島側の駆動手段と機械的に連結可能にしても良い。このようにすれば、操作スイッチの操作部を島側の駆動手段と機械的に連結することができるため、遊技機の本体枠をわざわざ前方に開放しなくても、遊技機の本体枠を閉鎖して施錠したままで、島側の駆動手段によって操作スイッチの操作部をオン操作して報知手段を特定報知状態にすることができる。
【００１０】
ところで、ホール内で、突然、非常事態（例えば、火災やテロ行為等）が発生した場合に、そこから比較的離れた位置で遊技に没頭している遊技者は、その非常事態に全く気付かない可能性がある。また、遊技機が大当り時に発する効果音の最大音量は、１００ｄＢを越えることもあり、非常ベルや店員の声が全く聞こえないこともある。更に、昨今の遊技機の演出は、遊技者にインパクトを与えるために、通常状態とかけ離れた演出（例えば、電飾を全て消灯させたり、画像表示を停止させたりする演出）を行うことが多く、非常事態が発生しても、それが演出なのかどうか一見して区別がつかず、遊技者の判断が遅れる可能性がある。
【００１１】
この対策として、非常事態が発生したときに、ホールコンピュータ等から遊技機に信号を入力して、画像表示装置に非常事態であることを表示することも考えられるが、外部から遊技機に信号を入力可能な構成にすると、外部から遊技機に不正な信号が入力されて遊技機が遠隔操作される等の不正行為に結び付く可能性がある。
【００１２】
そこで、請求項３のように、報知手段は、特定情報として緊急避難警報情報を報知するようにしても良い。このようすれば、例えば、非常事態が発生したときに、島側の駆動手段によって操作スイッチの操作部をオン操作して報知手段を特定報知状態にすることで、緊急避難警報情報を速やかに且つ確実に遊技者に報知することができる。この場合、操作スイッチの操作部を島側の駆動手段と機械的に連結するだけであり、外部から遊技機に信号を入力可能な構成にする必要がないため、外部から遊技機に不正な信号が入力されることを防止して、遊技機が遠隔操作される等の不正行為を未然に防止することができる。
【図面の簡単な説明】
【００１３】
【図１】図１は本発明の一実施例におけるパチンコ機の正面図である。
【図２】図２は操作スイッチ及びその周辺部の斜視図である。
【図３】図３は操作スイッチ及びその周辺部の側面図である。
【図４】図４は報知システムの概略構成を示すブロック図である。
【図５】図５は画像表示装置の表示例を説明する図である。
【図６】図６は他の実施例におけるパチンコ機の背面図である。
【発明を実施するための形態】
【００１４】
以下、本発明を実施するための形態をパチンコ機（遊技機）に適用して具体化した一実施例を説明する。
まず、図１に基づいてパチンコ機の前面側の概略構成を説明する。
パチンコ機１１の本体枠１２の前面側には、ガラス扉１３が開閉可能に設けられ、このガラス扉１３の後方に、遊技盤１４が取り付けられている。この遊技盤１４の前面には、内レール１５、外レール１６等によってパチンコ球（遊技球）が転動する遊技領域１７が区画形成され、この遊技領域１７の中央部に、センター役物１８が設けられている。このセンター役物１８の下方には、始動入賞口１９と可変入賞装置２０が設けられ、これ以外の遊技領域１７の複数箇所に、通常の入賞口や入賞装置等（いずれも図示せず）が設けられている。
【００１５】
更に、遊技領域１７の中央には、液晶表示器等で構成された画像表示装置２１が設けられている。この画像表示装置２１には、例えば、数字や絵柄等からなる複数（例えば３つ）のゲーム用図柄が表示され、これらのゲーム用図柄の組み合わせが所定の組み合わせになったときに当りが成立する。また、ガラス扉１３の前面側上部には、ＬＥＤやランプ等で構成された発光装置２２と、スピーカ２３が配置されている。
【００１６】
一方、パチンコ機１１の本体枠１２の前面側下部に設けられた前面パネル２４には、パチンコ球を受け溜める２つの球皿（上球皿２５と下球皿２６）が上下に並べて配置されている。また、本体枠１２の左側下部（球皿２５，２６の左方）には、上球皿２５から供給されるパチンコ球を発射する球発射装置２７が配置され、この球発射装置２７によりパチンコ機１１の左側下部からパチンコ球をほぼ垂直上方（又は斜め上方）に打ち上げるようになっている。一方、前面パネル２４の右側（球皿２５，２６の右方）には、球発射装置２７の発射操作ハンドル２８が設けられている。
【００１７】
図２及び図３に示すように、パチンコ機１１は、パチコンコ島に外枠２９が取り付けられ、この外枠２９に本体枠１２が一端部（例えば左端部）を軸に回動開閉可能に取り付けられている。外枠２９の前面側下部には、本体枠１２と外枠２９との隙間を覆う幕板３０が取り付けられている。また、パチンコ機１１には、外枠２９に対して開閉可能な本体枠１２や、本体枠１２に対して開閉可能なガラス扉１３を閉鎖状態で施錠する施錠装置（図示せず）が設けられ、この施錠装置を操作するためのキーを差し込むキーシリンダ３１（図１参照）がパチンコ機１１の前面側に設けられている。
【００１８】
パチンコ機１１の本体枠１２の裏面側には、メイン制御基板、払出制御基板、発射制御基板（いずれも図示せず）等が配置されていると共に、画像表示装置２１と発光装置２２とスピーカ２３を制御する演出制御基板４１（図４参照）が配置されている。通常時（後述する操作スイッチ３２がオフ状態のとき）には、演出制御基板４１によって、遊技状態に応じて画像表示装置２１と発光装置２２とスピーカ２３を制御して遊技の演出を行うようになっている。
【００１９】
次に、パチンコ機１１の報知システムについて説明する。
図２及び図３に示すように、パチンコ機１１の裏面側（例えば、外枠２９に取り付けられた幕板３０の裏側）には、画像表示装置２１等を特定報知状態（特定情報を報知する状態）にするための操作スイッチ３２が配置されている。この操作スイッチ３２は、例えば、光センサ、マイクロスイッチ、近接スイッチ等で構成されている。操作スイッチ３２には、該操作スイッチ３２のオン／オフを切り替えるための操作部３３が後方に突出するように設けられている。この操作部３３は、図示しないバネ等の付勢手段によりオフ方向（例えば前方）に付勢され、操作部３３をオン方向（例えば後方）に移動させると、操作スイッチ３２がオン状態に切り替わるようになっている。操作部３３には、後述するリニアソレノイド３６と機械的に連結するための係合孔３４（図２参照）が形成されている。
【００２０】
一方、パチンコ島の構造物の一部である島柱３５には、操作スイッチ３２を操作するためのリニアソレノイド３６（駆動手段）が取り付けられ、このリニアソレノイド３６のプランジャ３７に接続されたワイヤ３８の先端が、操作スイッチ３２の操作部３３の係合孔３４に係合されることで、リニアソレノイド３６のプランジャ３７と操作スイッチ３２の操作部３３とが、ワイヤ３８を介して機械的に連結されている。これにより、リニアソレノイド３６によって、操作部３３をオン方向に移動させて操作スイッチ３２をオン状態に切り替えるオン操作や、操作部３３をオフ方向に戻して操作スイッチ３２をオフ状態に切り替えるオフ操作を行うことができるようになっている。
【００２１】
本実施例では、幕板３０の裏側に操作スイッチ３２（操作部３３）を設けているので、操作部３３をパチンコ島の構造体に取り付けたリニアソレノイド３６（駆動手段）と連結しても、パチンコ機１１の開閉動作の影響を全く受けないという利点がある。
【００２２】
図４に示すように、パチンコホールに設置された火災警報器３９は、火災を検知したとき（例えば、火災による熱や煙等をセンサで検知したとき）に、警報信号をホールコンピュータ４０へ出力する。ホールコンピュータ４０は、火災警報器３９からの警報信号が入力されると、パチンコ島の各パチンコ機１１毎に設けられたリニアソレノイド３６を一斉に駆動し、これらのリニアソレノイド３６によって各パチンコ機１１の操作スイッチ３２の操作部３３を一斉にオン操作する。
【００２３】
これにより、各パチンコ機１１の操作スイッチ３２は、一斉にオン状態に切り替わって報知指令信号をメイン制御基板を通さずに演出制御基板４１へ直接出力する。演出制御基板４１は、操作スイッチ３２からの報知指令信号が入力部４２を介して制御部４３に入力される。この制御部４３は、報知指令信号が入力されると、遊技用の制御中であっても、その制御に割り込んで、画像表示装置２１と発光装置２２とスピーカ２３を特定報知状態にして、緊急避難警報情報（特定情報）を遊技者に報知する。この場合、画像表示装置２１と発光装置２２とスピーカ２３が報知手段としての役割を果たす。
【００２４】
本実施例では、画像表示装置２１は、例えば、図５（ａ）に示すように「火災発生」等のメッセージを表示することで、緊急避難警報情報を遊技者に報知する。また、発光装置２２は、例えば、ＬＥＤやランプ等を所定パターンで点滅させて、緊急避難警報情報を遊技者に報知する。或は、ＬＥＤやランプ等を全て消灯するようにしても良い。更に、スピーカ２３は、例えば、「火災発生」等の音声を出力することで、緊急避難警報情報を遊技者に報知する。或は、火災警報器３９の警報音が聞こえるように遊技の音量を所定値（例えば５０ｄＢ）以下に下げるようにしても良い。
【００２５】
尚、操作スイッチ３２から報知指令信号が出力されたときに、球払出装置（図示せず）の払出動作や球発射装置２７の発射動作を停止させるようにしても良い。また、操作スイッチ３２から報知指令信号が出力されたときに、現在の遊技状態（例えば大当り状態であるか否か等）、未払い球数、遊技者の持ち球数等を制御基板に搭載されたメモリ（例えばバックアップＲＡＭ等）又は持ち出し可能な記憶媒体（例えばメモリカード等）に記憶するようにしても良い。
【００２６】
以上説明した本実施例では、パチンコ機１１の裏面側に操作スイッチ３２の操作部３３が配置されているため、パチンコ機１１の通常の設置状態（パチンコ機１１の本体枠１２やガラス扉１３を閉鎖して施錠した状態）では、遊技者等が操作スイッチ３２の操作部３３を自由に操作することができない。これにより、遊技者等がいたずらで操作スイッチ３２の操作部３３をオン操作することを防止して、画像表示装置２１等の報知手段（画像表示装置２１と発光装置２２とスピーカ２３）で間違った情報を報知することを防止することができ、画像表示装置２１等の報知手段で報知する情報の信頼性を確保することができる。また、パチンコ機１１に操作スイッチ３３と画像表示装置２１等の報知手段を設けるようにしたので、出荷前のパチンコ機１１の検査で報知機能の動作確認を容易に行うことができる。
【００２７】
また、本実施例では、操作スイッチ３２の操作部３３をパチンコ島側のリニアソレノイド３６と機械的に連結するようにしたので、パチンコ機１１の本体枠１２をわざわざ前方に開放しなくても、パチンコ機１１の本体枠１２を閉鎖して施錠したままで、パチンコ島側のリニアソレノイド３６によって操作スイッチ３２の操作部３３をオン操作して画像表示装置２１等の報知手段を特定報知状態にすることができる。
【００２８】
更に、本実施例では、パチンコホールに設置された火災警報器３９で火災を検知したときに、パチンコ島側の各リニアソレノイド３６によって各パチンコ機１１の操作スイッチ３２の操作部３３を一斉にオン操作するようにしたので、各パチンコ機１１の画像表示装置２１等の報知手段を一斉に特定報知状態にして緊急避難警報情報を遊技者に報知することができ、緊急避難警報情報を速やかに且つ確実に遊技者に報知することができる。この場合、操作スイッチ３２の操作部３３をパチンコ島側のリニアソレノイド３６と機械的に連結するだけであり、外部からパチンコ機１１に信号を入力可能な構成にする必要がないため、外部からパチンコ機１１に不正な信号が入力されることを防止して、パチンコ機１１が遠隔操作される等の不正行為を未然に防止することができる。
【００２９】
尚、上記実施例では、操作スイッチ３２を操作するための駆動手段として、リニアソレノイド３６を用いるようにしたが、これに限定されず、例えば、モータやロータリソレノイド等を用いるようにしても良い。
【００３０】
更に、上記実施例では、操作スイッチ３２の操作部３３と駆動手段（リニアソレノイド３６）とをワイヤ３８を介して機械的に連結するようにしたが、これに限定されず、例えば、操作スイッチ３２の操作部３３と駆動手段とをクランク機構やギヤ機構等を介して機械的に連結するようにしても良い。また、駆動手段（リニアソレノイド３６）の設置場所は、島柱に限定されず、パチンコ島側の設備であれば、適宜変更しても良い。
【００３１】
また、上記実施例では、火災警報器３９で火災を検知したときに、緊急避難警報情報を報知するようにしたが、これに限定されず、例えば、地震、テロ行為等の他の非常事態が発生したときに、緊急避難警報情報を報知するようにしても良い。
【００３２】
また、上記実施例では、特定報知情報として、緊急避難警報情報を報知するようにしたが、これに限定されず、例えば、遊技者が食事等のためにパチンコ機１１から一時的に離れるような場合に、図５（ｂ）に示すように画像表示装置２１で「食事中」等のメッセージを表示して、食事中情報を報知するようにしたり、或は、パチンコ機１１の整備中に、画像表示装置２１で「整備中」等のメッセージを表示して、整備中情報を報知するようにしても良い。
【００３３】
更に、パチンコ機１１の裏面側に報知情報選択スイッチを設け、パチンコホールで報知情報選択スイッチを切り替えることで、画像表示装置２１等の報知手段で報知する特定報知情報を自由に選択できるようにしても良い。
【００３４】
また、上記実施例では、操作スイッチ３２の操作部３３がオン操作されたときに、画像表示装置２１と発光装置２２とスピーカ２３を全て特定報知状態にするようにしたが、これに限定されず、画像表示装置２１と発光装置２２とスピーカ２３のうちの２つ又は１つを特定報知状態にするようにしても良い。或は、画像表示装置２１と発光装置２２とスピーカ２３以外の部品（例えば、役物や入賞装置等）を特定報知状態にするようにしても良い。
【００３５】
また、上記実施例では、遊技の演出に使用する画像表示装置２１等を報知手段として利用するようにしたが、特定情報を報知するための専用の報知手段（画像表示装置、発光装置、スピーカ等）を設けるようにしても良い。
【００３６】
また、上記実施例では、操作スイッチ３２の出力信号（報知指令信号）をメイン制御基板を通さずに演出制御基板に入力することで、メイン制御基板に不正な信号が入力するのを防止するようにしたが、これに限定されず、例えば、画像制御基板と音声制御基板と光制御基板が別々に設けられている場合には、操作スイッチ３２の出力信号を画像制御基板と音声制御基板と光制御基板にそれぞれ入力するようにしたり、操作スイッチ３２の出力信号を画像制御基板と音声制御基板と光制御基板のうちの２つ又は１に入力するようにしても良い。或は、操作スイッチ３２の出力信号を外部端子基板、払出制御基板、発射制御基板、メイン制御基板等に入力するようにしても良い。
【００３７】
また、上記実施例では、操作スイッチ３２の操作部３３とパチンコ島側の駆動手段（リニアソレノイド３６）とを機械的に連結するようにしたが、これに限定されず、パチンコ島側の駆動手段を省略して、操作スイッチ３２の操作部３３とパチンコ島側の駆動手段とを機械的に連結しない構成として、ホールの店員等が、パチンコ機１１の本体枠１２を前方に開放した状態で、操作スイッチ３２の操作部３３をオン操作して画像表示装置２１等の報知手段を特定報知状態にするようにしても良い。
【００３８】
また、上記実施例では、幕板３０の裏側に操作スイッチ３２（操作部３３）を配置するようにしたが、これ限定されず、例えば、図６に示す他の実施例のように、操作スイッチ３２（操作部３３）を演出制御基板４１に直接搭載するようにしても良い。この際、操作スイッチ３２の構成（例えば操作部３３の形状等）は適宜変更すれば良い。このようにすれば、操作スイッチ３２から出力される電気信号を直接認識すべき基板にダイレクトに信号を供給することができ、配線処理の簡素化等に効果的である。尚、操作スイッチ３２（操作部３３）を、演出制御基板４１以外の基板、例えば、外部情報端子基板４４、メイン制御基板４５（遊技制御基板）、払出制御基板４６、電源基板４７、発射制御基板（図示せず）等のいずれかに直接搭載するようにしても良い。その他、操作スイッチ３２（操作部３３）は、本体枠１２や、賞球機構が配設された機構枠４８等の枠部に配置するようにしても良い。
【００３９】
また、パチンコホールの各パチンコ機に送信機及び受信機を搭載する共に、各パチンコ機（又は一部のパチンコ機）に火災による熱や煙等を検出するセンサを搭載し、いずれかのパチンコ機のセンサで火災による熱や煙等を検出したときに、そのパチンコ機の報知手段で緊急避難警報情報を報知すると共に、他のパチンコ機にも火災検出信号を送信して、他のパチンコ機も報知手段で緊急避難警報情報を報知するようにしても良い。
【００４０】
また、上記実施例では、パチンコ機の左側下部に球発射装置を配置した構成のパチンコ機に本発明を適用したが、これに限定されず、例えば、パチンコ機の中央下部や右側下部に球発射装置を配置した構成のパチンコ機に本発明を適用しても良い。
【００４１】
また、上記実施例では、パチンコ機の前面側下部に上球皿と下球皿を設けた２皿構成のパチンコ機に本発明を適用したが、これに限定されず、例えば、パチンコ機の前面側下部に球皿を１皿のみを設けた１皿構成のパチンコ機に本発明を適用しても良い。
【００４２】
また、本発明の適用範囲は、一般のパチンコ機に限定されず、例えば、アレンジボール遊技機、スロットマシン等の種々の遊技機に本発明を適用しても良い。
【符号の説明】
【００４３】
１１…パチンコ機（遊技機）、１２…本体枠、１４…遊技盤、２１…画像表示装置（報知手段）、２２…発光装置（報知手段）、２３…スピーカ（報知手段）、２９…外枠、３０…幕板、３２…操作スイッチ、３３…操作部、３６…リニアソレノイド（駆動手段）、３９…火災警報器、４０…ホールコンピュータ、４１…演出制御基板
【図１】
2011156256.tif 000003
【図２】
2011156256.tif 000004
【図３】
2011156256.tif 000005
【図４】
2011156256.tif 000006
【図５】
2011156256.tif 000007
【図６】
2011156256.tif 000008